(57)【要約】【課題】  累加雨量を簡単かつ容易に計測でき、しかも、予め設定された警戒避難基準の雨量をアラームランプの咽頭と警報ブザーの鳴動で容易に住民に知らせるでき、しかも、簡易な構造で、安価で、容易に維持管理を行うことができ、さらに、住民レベルで取扱を容易にした。【解決手段】  受水部３と、この受水部３に導水管５を介して接続された貯水部７と、この貯水部７に信号ケーブル９を介して接続された警報器１１とからなり、前記貯水部３が外周表面に雨量レベル目盛り２９が付与されたシール部材３１を貼付した貯水ボトル２５と、この貯水ボトル２５の上面に設けられ前記導水管５を挿入する導水管挿入口３３と、前記貯水ボトル２５の内部に設けられ設定降雨量を検出する複数の電極４１Ａ、４１Ｂ、４１Ｃ、４１Ｄ、４１Ｅとで構成されていることを特徴とする。【選択図】図１
2006258577.tif 000002
【特許請求の範囲】
【請求項１】
受水部と、この受水部に導水管を介して接続された貯水部と、この貯水部に信号ケーブルを介して接続された警報器とからなり、前記貯水部が外周表面に雨量レベル目盛りが付与されたシールを貼付した貯水ボトルと、この貯水ボトルの上面に設けられ前記導水管を挿入する導水管挿入口と、前記貯水ボトルの内部に設けられ設定降雨量を検出する複数の雨量検知電極とで構成されていることを特徴とする簡易雨量警報器。
【請求項２】
前記貯水ボトルが自立して立設されることを特徴とする請求項１記載の簡易雨量警報器。
【請求項３】
前記警報器の内部には警報器を動作させるバッテリーを収納するバッテリーボックスが設けられていることを特徴とする請求項１または２記載の簡易雨量警報器。
【発明の詳細な説明】
【技術分野】
【０００１】
この発明は、降雨量（累加雨量）を観測し、警戒避難基準に達した場合にアラーム点灯とブザー鳴動により報知する簡易雨量警報器に関する。
【背景技術】
【０００２】
洪水ハザードマップの作成や予警報システムの設置が世界的に進められているが、雨量データ、土砂災害（特に土石流）発生要因の１つである一雨での累加雨量を把握することで、警戒避難の判断材料とする雨量データ不足が多くの途上国に共通する問題である。このような雨量データの収集には自記雨量計を設置することが望ましいが、自記雨量計を設置し維持管理することは必ずしも容易ではなく、多くの途上国では普通雨量計による観測に頼らざる得ない現状である。
【０００３】
そして、雨量警報器としては、特許文献１のごとき構造のものが知られている。
【特許文献１】特開２００４−１３３８４９号公報
【発明の開示】
【発明が解決しようとする課題】
【０００４】
ところで、上述した従来の普通雨量計による観測は通常定時に行われるが、豪雨時には深夜であっても直ちに短時間雨量の観測を開始する必要があり、そのためには豪雨の兆候を何らかの方法で観測人に知らせる必要がある。しかしながら、現状ではその対策を講じていない。
【０００５】
上述した従来の特許文献１で知られている雨量警報器は３つのタンクを備えており、構造が複雑で簡易にものとしてはまだ不充分な点が多く改良の余地がある。
【０００６】
この発明は上述の課題を解決するためになされたものでる。
【課題を解決するための手段】
【０００７】
上記発明が解決しようとする課題を達成するためにこの発明の簡易雨量警報器は、受水部と、この受水部に導水管を介して接続された貯水部と、この貯水部に信号ケーブルを介して接続された警報器とからなり、前記貯水部が外周表面に雨量レベル目盛りが付与されたシールを貼付した貯水ボトルと、この貯水ボトルの上面に設けられ前記導水管を挿入する導水管挿入口と、前記貯水ボトルの内部に設けられ設定降雨量を検出する複数の雨量検知電極とで構成されていることを特徴とするものである。
【０００８】
この発明の簡易雨量警報器は、前記簡易雨量警報器において、前記貯水ボトルが自立して立設されることが好ましい。
【０００９】
この発明の簡易雨量警報器は、前記簡易雨量警報器において、前記警報器の内部には警報器を動作させるバッテリーを収納するバッテリーボックスが設けられていることが好ましい。
【発明の効果】
【００１０】
以上のごとき課題を解決するための手段の説明から理解されるように、この発明によれば、累加雨量を簡単かつ容易に計測でき、しかも、予め設定された警戒避難基準の雨量をアラームランプの点灯および／または警報ブザーの鳴動で容易に住民に知らせることができ、しかも、簡易な構造で、安価で、容易に維持管理を行うことができ、さらに、住民レベルで取扱いを容易に行うことができる。
【発明を実施するための最良の形態】
【００１１】
以下、この発明の実施の形態について図面を参照して詳細に説明する。
【００１２】
図１を参照するに、この発明の簡易雨量警報器１は、受水部３と、この受水部３に例えば約３ｍの長さのビニルホースなどからなる導水管５を介して接続された貯水部７と、この貯水部７に例えば０．３ｍｍ２−５Ｃの電極ケーブルなどからなる信号ケーブル９を介して接続された警報器１１とからなっている。前記受水部３は、図２、図３および図４に示されているように断面が円錐形状で例えばアルマイト製からなる漏斗（有効口径：約１５４ｍｍ）である受水本体１３で構成されており、この受水本体１３の上面が受水入口１５となっていると共に受水本体１３の下部部分が受水出口１７となっている。
【００１３】
そして、前記受水本体１３は例えばＳＵＳ３０４からなる固定金具１９で固定されると共にこの固定金具１９の両端が住居の軒先などにビス２１で固定される。また、前記受水本体１３の下部部分である受水出口１７の外周に前記導水管５の先端が嵌めこまれて金具バンド２３で締められる。
【００１４】
前記貯水部７は、図５、図６および図７に示されているように例えば塩化ビニールなどからなる中空円筒形状の貯水ボトル２５（累積雨量２００ｍｍ）を備えており、この貯水ボトル２５は下部に設けられた脚２５Ａによって例えば屋内のテーブル上に自立して立設される。しかも、貯水ボトル２５の上部は蓋２７で常時締められている。
【００１５】
前記貯水ボトル２５の外周表面に雨量レベル目盛り２９が付与された透明のシール部材３１が貼付されている。前記蓋２７の後部側には前記導水管５の後端を前記貯水ボトル２５内に挿入する導水管挿入口３３が形成されている。また、前記蓋２７の前部側には電極支持フレーム３５が複数のねじ３７で取り付けられている。電極支持フレーム３５には穴３９が形成されており、この穴３９から複数例えば５本のＳＵＳ３０４製の雨量検知電極４１Ａ、４１Ｂ、４１Ｃ、４１Ｄ、４１Ｅ（センサー）が前記貯水ボトル２５内に挿入されている。
【００１６】
雨量検知電極４１Ａが一番長く、コモン電極をなし、雨量検知電極４１Ａの下端が前記雨量レベル目盛り２９のゼロに近い位置にある（貯水ボトル２５の底面より浮いている）。雨量検知電極４１Ｂの下端は予め設定された雨量レベル例えば予め雨量レベル目盛り５５ｍｍの位置になるよう設定されている。さらに、雨量検知電極４１Ｃの下端は例えば予め雨量レベル目盛り９５ｍｍの位置になるよう設定されている。雨量検知電極４１Ｄ、４１Ｅの下端は例えば予め設定された雨量レベル目盛り１４５ｍｍ、１８５ｍｍの位置になるよう設定されている。
【００１７】
前記雨量検知電極４１Ａ、４１Ｂ、４１Ｃ、４１Ｄ、４１Ｅの上端はケーブルフード４３でカバーされていると共に、前記各信号ケーブル９に接続されている。また、前記蓋２７は前記貯水ボトル２５に複数例えばＳＵＳ３０４製のパッチン錠４５でクランプ、アンクランプされる。
【００１８】
前記警報器１１は、図８、図９および図１０に示されているように、上部本体４７Ｕと下部本体４７Ｄとからなる例えばＷ２００×Ｈ２００×Ｄ１００（ｍｍ）の大きさで、ＳＵＳ３０４製で重量が前記貯水部７の重量１．３ｋｇよりやや軽い重量の約１．１ｋｇの本体４７とで構成されている。そして、前記下部本体４７Ｄの下面には図９に示されているように上下に左右方向へ延伸された例えばＳＵＳ３０４製などからなる取付金具４９が前記下部本体４７Ｄの左右部より突出して一体化されている。前記下部本体４７Ｄの左右部より突出した各取付金具４９の左右部には取付用の孔５１が形成されている。
【００１９】
前記上部本体４７Ｕは下部本体４７Ｄに対して複数のヒンジ５３により連結されていると共に上部本体４７Ｕと下部本体４７Ｄの左側に設けられた孔５５、５７に例えば鍵を掛けることで、通常上部本体４７Ｕと下部本体４７Ｄは閉じられた状態となる。また、鍵を外して上部本体４７Ｕを下部本体４７Ｄに対して図８、図９において上方へ時計方向回りに回動させることでヒンジ５３を支点として上部本体４７Ｕは下部本体４７Ｄに対して開放して図１１に示したごとく、下部本体４７Ｄの内部が見られる状態になる。
【００２０】
図９に示されているように、前記上部本体４７Ｕの表面の下側には左側から右側に向けて順にパワーオンスイッチ５９、バッテリチエックスイッチ６１、ブザースイッチ６３が設けられている。また、前記上部本体４７Ｕの表面の真ん中には左側から右側に向けて順に、パワーランプ６５，ローボルテージランプ６７、警報ブザー６９が設けられている。さらに、前記上部本体４７Ｕの上部には左側から右側に向けて順に、アラーム１ランプ７１Ａ、アラーム２ランプ７１Ｂ、アラーム３ランプ７１Ｃおよびアラーム４ランプ７１Ｄの４つのアラームランプが設けられている。
【００２１】
図１１に示されているように、前記下部本体４７Ｄの内部には雨量検知センサー入力端子台７３と例えば６個の単三乾電池７５（９Ｖ）を収納するバッテリー（乾電池）ボックス７７が設けられている。
【００２２】
前記パワーオンスイッチ５９は電源のオン（↑）／オフ（↓）を行うものである。バッテリチエックスイッチ６１は電源投入時に本スイッチ６１を押すことによりパワーランプ６５が点灯し、警報器１１の制御部が動作中であることを確認するものである。ブザースイッチ６３は雨量警報ブザー６９の停止（確認）スイッチである。パワーランプ６５は電源投入時にバッテリチエックスイッチ６１を押すことにより点灯するものである。ローボルテージランプ６７はバッテリー（乾電池）７５の電圧が例えば約６．５Ｖ（±５％）以下で点灯し、乾電池７５を交換するように知らせるものである。
【００２３】
警報ブザー６９は警報ブザーで、雨量検知電極４１Ｂ、４１Ｃ、４１Ｄ、４１Ｅが予め設定された警報雨量レベルを検知した（達した）場合に鳴動するものである。アラームランプ７１Ａ〜７１Ｄは雨量警報ランプで、雨量検知電極４１Ｂ、４１Ｃ、４１Ｄ、４１Ｅが予め設定された警報雨量レベルを検知した（達した）場合に点灯するものである。
【００２４】
前記雨量検知センサー入力端子台７３はセンサーからの信号を入力し、Ｎｏ１はコモン、Ｎｏ２はセンサー１（雨量検知電極４１Ｂ）、Ｎｏ３はセンサー２（雨量検知電極４１Ｃ）、Ｎｏ４はセンサー３（雨量検知電極４１Ｄ）、Ｎｏ５はセンサー４（雨量検知電極４１Ｅ）、Ｎｏ６はノンコネクション（ＮＣ）である。バッテリー（乾電池）ボックス７７は警報器１１の制御部を動作させるための例えば６個のバッテリー（乾電池）７５を収納させるためのボックスで、乾電池７５の取付方向を一本ずつ確認して取り付けるものである。なお、乾電池７５は単三形マンガン乾電池（アルカリ乾電池）を使用する。
【００２５】
上記構成により、受水部３を住居の軒先等に固定金具１９を使ってビス２１で固定し、屋内に貯水部７の例えば貯水ホトル２５の脚２５Ａを例えば屋内のテーブル上に自立して設置し、警報器１１の取付金具４９における孔５１で屋内の壁面などにビスにより設置する。そして、警報器１１のパワーオンスイッチ５９をオンにしておく。この状態で雨が降ると、雨が受水部３の受水本体１３で一旦受水される。受水された雨量は導水管５を流れて貯水部５の貯水ボトル２５に貯水される。
【００２６】
この貯水ボトル２５に貯水された貯水量が増えて行き、貯水量の水位が雨量検知電極４１Ｂの先端（下端）に達すると、コモン電極である雨量検知電極４１Ａが雨を介して雨量検知電極４１Ｂに接続されて通電される。すると、この通電が信号ケーブル９を介してアラーム１ランプ７１Ａが点灯すると共に警報ブザー６９が鳴動して住民に知らせる。その結果、住民はアラーム１ランプ７１Ａの点灯と警報ブザー６９の鳴動により、必要に応じて避難することができる。
【００２７】
さらに、雨が降り続けて貯水量の水位が雨量検知電極４１Ｃの先端（下端）に達すると、コモン電極である雨量検知電極４１Ａが雨を介して雨量検知電極４１Ｃに接続されて通電される。すると、この通電が信号ケーブル９を介してアラーム２ランプ７１Ｂが点灯すると共に警報ブザー６９が鳴動して住民に知らせる。その結果、住民はアラーム２ランプ７１Ｂの点灯と警報ブザー６９の鳴動により、必要に応じて避難することができる。
【００２８】
同様にして、雨が降り続けて貯水量の水位が雨量検知電極４１Ｄ、４１Ｅの先端（下端）に達すると、コモン電極である雨量検知電極４１Ａが雨を介して雨量検知電極４１Ｄ、４１Ｅに接続されて通電される。すると、この通電が信号ケーブル９を介してアラーム３ランプ７１Ｃ、アラーム４ランプ７１Ｄが点灯すると共に警報ブザー６９が鳴動して住民に知らせる。その結果、住民はアラーム３ランプ７１Ｃ、アラーム４ランプ７１Ｄの点灯と警報ブザー６９の鳴動により、必要に応じて避難することができる。
【００２９】
前記アラーム１ランプ７１Ａ〜アラーム４ランプ７１Ｄの点灯、警報ブザー６９の鳴動は住民によってその都度キャンセルさせることができる。
【００３０】
このように、雨量検知電極４１Ｂ、雨量検知電極４１Ｃ、雨量検知電極４１Ｄ、雨量検知電極４１Ｅの先端を例えば５５ｍｍ、９５ｍｍ、１４５ｍｍ、１８５ｍｍと予め設定警戒避難基準に設定しておくことにより、警戒避難を簡単かつ容易に知らせることができる。したがって、例えば途上国におけるハリケーンなどによる洪水等の降雨に起因する災害に対し、コミュニティ単位でのリアルタイムな警戒避難情報として活用することができ、防災体制の確立を支援することができる。
【００３１】
しかも、装置そのものは構造が単純で、市販品の材料を使用して製作することができると共に製作コストを低減させることができる。計測原理を単純化しているので、誰でも簡単に取り扱うことができる。
【００３２】
簡易型雨量警報器１の貯水部７は約１．３ｋｇ、警報器１１は約１．１ｋｇと軽いので、住民が誰でも持ち運ぶが楽にでき、必要な場所に自由に設置することができる。
【００３３】
前記雨量検知電極４１Ｂ、雨量検知電極４１Ｃ、雨量検知電極４１Ｄ、雨量検知電極４１Ｅを前記雨量レベル目盛り２９の予め決められた目盛りに合わせて例えば雨量１０ｍｍあたり約１９ｍｍ短くすることによって、検知レベルを適宜変更することができる。また、雨量検知電極を５本使用した例で説明したが、２〜４本又は６本以上であっても構わない。
【００３４】
前記シール部材３１に付与された雨量レベル目盛り２９により、雨量レベルを住民がその都度肉眼で容易に確認することができる。したがって、アラーム１ランプ７１Ａ〜アラーム４ランプ７１Ｄの点灯と警報ブザー６９の鳴動が作動する前の時点でその都度雨量レベルを確認することもできる。
【００３５】
前記貯水ボトル２５に貯まった雨を排水する場合には導水管５、雨量検知電極４１Ａ、４１Ｂ、４１Ｃ、４１Ｄ、４１Ｅ（センサー）がついた蓋２７をパッチン錠４５により貯水ボトル２５から外して取り出して貯水ボトル２５に貯まった雨水を容易に排水することができる。雨量検知電極４１Ａ、４１Ｂ、４１Ｃ、４１Ｄ、４１Ｅ（センサー）のついた蓋２７をパッチン錠４５により貯水ボトル２５から外して雨量検知電極４１Ａ、４１Ｂ、４１Ｃ、４１Ｄ、４１Ｅ（センサー）の点検、清掃を行うことができる。その場合、雨量検知電極４１Ａ、４１Ｂ、４１Ｃ、４１Ｄ、４１Ｅに汚れ、変色がある場合には、サンドペーパなどで、表面に付いた皮膜を取り除くことができる。
【図面の簡単な説明】
【００３６】
【図１】この発明の簡易雨量警報器を示した正面図である。
【図２】受水部の側面図である。
【図３】受水部の正面図である。
【図４】受水部の平面図である。
【図５】貯水部の側面図である。
【図６】貯水部の正面図である。
【図７】貯水部の平面図である。
【図８】警報器の正面図である。
【図９】警報器の平面図である。
【図１０】警報器の側面図である。
【図１１】警報器の上部本体を取り外した下部本体の内部を見せた下部本体の平面図である。
【符号の説明】
【００３７】
１  簡易雨量警報器
３  受水部
５  導水管
７  貯水部
９  信号ケーブル
１１  警報器
１３  受水本体
１５  受水入口
１７  受水出口
１９  固定金具
２３  金具バンド
２５  貯水ボトル
２５Ａ  脚
２７  蓋
２９  雨量レベル目盛り
３１  シール部材
３３  導水管挿入口
３５  電極支持フレーム
４１Ａ、４１Ｂ、４１Ｃ、４１Ｄ、４１Ｅ  雨量検知電極
４３  ケーブルフード
４５  パッチン錠
４７  本体
４７Ｕ  上部本体
４７Ｄ  下部本体
４９  取付金具
５１、５５、５７  孔
５３  ヒンジ
５９  パワーオンスイッチ
６１  バッテリースイッチ
６３  ブザースイッチ
６５  パワーランプ
６７  ローボルテージランプ
６９  警報ブザー
７１Ａ〜７１Ｄ  アラームランプ
７３  雨量検知センサー入力端子台
７５  バッテリー（乾電池）
７７  バッテリー（乾電池）ボックス
【図１】
2006258577.tif 000003
【図２】
2006258577.tif 000004
【図３】
2006258577.tif 000005
【図４】
2006258577.tif 000006
【図５】
2006258577.tif 000007
【図６】
2006258577.tif 000008
【図７】
2006258577.tif 000009
【図８】
2006258577.tif 000010
【図９】
2006258577.tif 000011
【図１０】
2006258577.tif 000012
【図１１】
2006258577.tif 000013